(57)【要約】【課題】ケーシング本体２と蓋体３とを合わせて作成する風呂リモコンでは、ケーシング内部に水や害虫が侵入するおそれがある。そのため、ケーシング本体２と蓋体３との合わせ部に接着剤やコーキング剤を用いるが、接着剤やコーキング剤は効果に長時間を要する。また、電子基板４に害虫を寄せ付けない忌避剤を塗布することも行われているが、コスト高を招く。【解決手段】ケーシング本体２と蓋体３との合わせ部である溝２１内に発熱線６１・６２をセットして、発熱線６１・６２に通電することによりケーシング本体２と蓋体３とを溶融して相互に接合する。【選択図】  図２
2004363282.tif 000002
【特許請求の範囲】
【請求項１】
台所の壁面に取り付けられる台所リモコンにおいて、熱可塑性の樹脂からなるケーシング本体の周縁部に形成した環状の溝に、ケーシングの外側から電極が挿入される貫通穴を形成すると共に、端部がこの貫通穴に重なる発熱線を溝内に配設し、熱可塑性の樹脂からなる蓋部材に形成した環状の凸部を上記ケーシング本体の溝内に嵌入させた状態で貫通穴に電極を挿入し発熱線に通電して発熱させ、溝の底部と凸部の端部とを溶着させたことを特徴とする台所リモコン。
【発明の詳細な説明】
【０００１】
【発明の属する技術分野】
本発明は、ケーシング内に水や湿気、その他虫などが侵入しないように密閉された台所リモコンに関する。
【０００２】
【従来の技術】
屋外灯に設置された給湯装置の作動を制御するために、台所の壁面に台所リモコンが設置されている。台所リモコンは濡れた手で操作される機会が多く、また煮炊き中に生じる湯気が直接当たる場合があり、台所リモコンのケーシング内に水や水蒸気が侵入するおそれがある。
【０００３】
ケーシング内に水や水蒸気が侵入すると、ケーシング内の電子部品がショートするなどの弊害が生じるため、ケーシング内に電子基板を取り付けた状態で樹脂を流し込み、電子基板を樹脂内に埋め込むポッティングという処理が施される。
【０００４】
一方、台所はゴキブリ等の害虫が発生しやすく、これらの害虫は暖かく暗いところを好む。そのため、台所リモコンのケーシング内に害虫が侵入する場合が生じる。ケーシング内に害虫が侵入すると電線をかじるおそれの他、害虫自身が導体であるため、害虫の体を介してショートするおそれが生じる。
【０００５】
このような害虫の侵入を防止するため、害虫に対する忌避剤を混練したペーストを電子基板に塗布することが行われている（特許文献１参照）。
【０００６】
【特許文献１】
特開２００１−１６３７０３号公報
【０００７】
【発明が解決しようとする課題】
上記従来のポッティングや忌避剤の塗布を行うと台所リモコンの製造コストが高くなるが、水や水蒸気、その他害虫等のケーシング内への侵入自体を防止することはできない。このような侵入を防止するためには、ケーシングを封止する際に、接着剤やシリコン系のコーキング剤を用いてケーシングを完全に密封することが考えられる。
【０００８】
ただし、これら接着剤やコーキング剤を用いればケーシング内を完全に封止することはできるが、接着剤やコーキング剤が硬化するまでに通常一昼夜ほどの時間を要するために、製造工程途中の台所リモコンが接着剤やコーキング剤の効果のために製造工程途中で大量に滞留することになり、やはり台所リモコンの製造コストが高くなる。
【０００９】
そこで本発明は、上記の問題点に鑑み、短い滞留時間で台所リモコンのケーシングを完全に封止することのできる台所リモコンを提供することを課題とする。
【００１０】
【課題を解決するための手段】
上記課題を解決するために本発明による台所リモコンは、台所の壁面に取り付けられる台所リモコンにおいて、熱可塑性の樹脂からなるケーシング本体の周縁部に形成した環状の溝に、ケーシングの外側から電極が挿入される貫通穴を形成すると共に、端部がこの貫通穴に重なる発熱線を溝内に配設し、熱可塑性の樹脂からなる蓋部材に形成した環状の凸部を上記ケーシング本体の溝内に嵌入させた状態で貫通穴に電極を挿入し発熱線に通電して発熱させ、溝の底部と凸部の端部とを溶着させたことを特徴とする。
【００１１】
上記構成によれば、発熱線への通電により発生する熱で溝の底部と凸部の端部とが溶融される。溶融した部分は互いに密着し一体になる。発熱線への通電を停止すると溶融した部分は急速に硬化し、溝の底部と凸部の端部とが溶着される。発熱線は環状の溝の全体に配設されているので、溝の全域で溶着が行われ、ケーシング内は完全に封止される。
【００１２】
【発明の実施の形態】
図１を参照して、１は台所に設置された台所リモコンであり、図外の給湯装置に接続され、その給湯装置の作動を制御するものである。この台所リモコン１は台所の壁面ＫＷにねじ止めされている。シンクＳ内で洗い物をする際の水しぶきが台所リモコン１にかかり、濡れた手で台所リモコン１を操作する際に水が付着し、さらに煮炊きの水蒸気が充満し高湿度になるため水滴が台所リモコン１に付着する。そのため、台所リモコン１の内部に湯水や湿気が侵入しないように防水構造を採用する必要がある。
【００１３】
図２に示すように、台所リモコン１は、ケーシング本体２内に電子部品が取り付けられた電子基板４を格納した状態で蓋体３をケーシング本体２に対して溶着している。なお、蓋体３には下面に凸部３１が環状に形成されており、その環状の凸部３１がケーシング本体２に形成された環状の溝２１に差し込まれるように形成されている。
【００１４】
蓋体３には各種スイッチ類３２が防水された状態で取り付けられている。また、３３はスピーカの取り付け部であり、防水構造のスピーカを内側から取り付けることにより、この取り付け部３３からケーシング本体２内へ湯水や害虫が侵入することが防止される。なお、各種スイッチ類３２とスピーカとはフィルム状のケーブル４２を介して電子基板４に接続されている。４１は電源や給湯装置に連結されている通信線がまとめられたケーブルである。
【００１５】
そして、蓋体３をケーシング本体２に対して溶着した後、取り付け穴２２にねじを差し込んで、ケーシング本体２と蓋体３とからなるケーシングを上記壁面ＫＷに固定する。なお、５はカバーであり、ケーシングを壁面ＫＷに固定した後、ケーシングに前方から嵌め付ける。
【００１６】
図３及び図４に示すように、ケーシング本体２の溝２１はケーシング本体２の外形に沿って環状に形成されている。ただし、取り付け穴２２に隣接して設けられた貫通穴７を迂回して、貫通穴７及び取り付け穴２２が溝２１の外側に位置させる迂回部２３が形成されている。そして、迂回部２３から貫通穴７に連なる連通部２４を形成した。なお、ケーシング本体２及び蓋体３は共に熱可塑性の樹脂で形成されており、２３ａは硬化時の収縮による「引け」の発生を防止するための肉抜きであり、ケーシング本体２の底部に対して貫通していない。
【００１７】
貫通穴７は図３に示す状態で左右略対称の位置に各々形成されている。そして、図３に示す門型の発熱線６１・６２を溝２１内に装着する。各発熱線６１・６２の中間部６１ａ・６２ａは図３に示すように直線状に成形されている。成形前の発熱線は直線状の線材として提供される。その直線状の発熱線を曲げ加工して門型に成形するので、中間部６１ａ・６２ａは特別に加工を施さなくても成形完了後には直線状になる。
【００１８】
一方、溝２１のうちの、上記中間部６１ａ・６２ａに対応する部分は図示のように外側に向かって膨らむように若干湾曲している。この部分を直線状に形成するか、本実施の形態のように湾曲させるかは、成形金型の一部の形状を直線状にするか曲線状にするかによるものである。そして、この部分を直線状にするか曲線状にするかでコストの相違はほとんど生じない。
【００１９】
上述のように、中間部６１ａ・６２ａは直線状であり、この中間部６１ａ・６２ａが装着される溝の部分は曲線状であるので、両発熱線６１・６２を溝２１内に装着すると、中間部６１ａ・６２ａは図３の２点鎖線で示す状態に湾曲される。発熱線６１・６２は弾性を有しているので、２点鎖線に示す状態に湾曲すると直線状態に戻ろうとする付勢力が生じ、この付勢力により発熱線６１・６２は溝２１の内壁に当接し、溝２１の内壁と中間部６１ａ・６２ａとの間に発生する摩擦力によって発熱線６１・６２はから浮き上がらず外に脱落しない。
【００２０】
また、両発熱線６１・６２の両先端６１ｂ・６２ｂが各々貫通穴７に到達するように、各発熱線６１・６２の長さを設定している。なお、発熱線６１・６２の一端は迂回部２３の形状に合わせて屈曲されている。発熱線６２の場合、図４に示すように、屈曲部６２ｃが形成されており、その屈曲部６２ｃに先端６２ｂが形成されている。
【００２１】
両発熱線６１・６２の両先端６１ｂ・６２ｂが貫通穴７に到達しているので、図５に示すように、蓋体３の凸部３１を溝２１にはめ込んだ状態で貫通穴７に電極Ｔを挿入すると、電極Ｔは先端６１ｂ・６２ｂに接触する。両貫通穴７に各々電極Ｔを挿入し両発熱線６１・６２に通電すると、両発熱線６１・６２は発熱して溝２１の底部周辺及び凸部３１の先端を溶融する。その溶融した状態で蓋体３をケーシング本体２に押し付けると、図５に示す距離ｄだけ蓋体３が相対移動して溶融部分が密着する。その後通電を停止し冷却すれば溶融部分が固化し、溝２１と凸部３１とが相互に固着する。
【００２２】
上述のように、溝２１は環状に形成されているので、ケーシングの全周にわたって溶着される。また、貫通穴７はこの環状の溶着部の外側に位置するので、電極Ｔを貫通穴７から抜き去った後に、貫通穴７に湯水が侵入してもその湯水がケーシング内に侵入することはない。
【００２３】
【発明の効果】
以上の説明から明らかなように、本発明は、台所リモコンのケーシングを熱融着により封止するので、このケーシング内への水や害虫の侵入を防止することができ、かつ短時間でケーシングを封止できるので、従来のものに比較して台所リモコンの製造コストが高くならない。
【図面の簡単な説明】
【図１】本発明の一実施の形態の構成を示す図
【図２】ケーシングの分解斜視図
【図３】ケーシング本体の溝と発熱線の形状を示す図
【図４】迂回部近傍の詳細を示す部分拡大図
【図５】迂回部の溶着前の状態を示す断面図
【符号の説明】
１  台所リモコン
２  ケーシング本体
３  蓋体
４  電子基板
５  カバー
６  発熱線
７  貫通穴
２１  溝
２３  迂回部
３１  凸部
６１  発熱線
６２  発熱線
【図１】
2004363282.tif 000003
【図２】
2004363282.tif 000004
【図３】
2004363282.tif 000005
【図４】
2004363282.tif 000006
【図５】
2004363282.tif 000007